(57)【要約】【課題】外形が不規則な商品でも確実に支持して収容可能な固定材を提供する。【解決手段】外箱内にブロック状をなす商品（ハムＨ）を支持状態で収容するための固定材１０であって、上下方向に延びるように対向配置される各一対の側壁部１１Ａ，１１Ｂおよび端壁部１６Ａ，１６Ｂと、隣接する側壁部１１Ａ，１１Ｂおよび端壁部１６Ａ，１６Ｂの上端縁同士を連続させる一対の連続部２２，２２とを備え、連続部２２に、端壁部１６との境界線（折曲線２６）から側壁部１１Ａ，１１Ｂとの境界線（折曲線２５）に向けて延びる折曲線２７を設けるとともに、連続部２２の先端縁から側壁部１１との境界線に向けて延びる打抜部（切断線２８）を設け、連続部２２における折曲線２７の先端側に、内側下向きに屈曲される弾性片２４を設けた構成とする。【選択図】図１
2010089820.tif 000002
【特許請求の範囲】
【請求項１】
外箱内にブロック状をなす商品を支持状態で収容するための固定材であって、
上下方向に延びるように対向配置される各一対の側壁部および端壁部と、
隣接する側壁部および端壁部の上端縁同士を連続させる一対の連続部とを備え、
前記連続部に、端壁部との境界線から側壁部との境界線に向けて延びる折曲線を設けるとともに、前記連続部の先端縁から側壁部との境界線に向けて延びる打抜部を設け、
前記連続部における折曲線の先端側に、内側下向きに屈曲される弾性片を設けたことを特徴とする固定材。
【請求項２】
前記一対の端壁部との境界線から延びる折曲線を、前記側壁部との境界線を越えて該側壁部領域内で連続させたことを特徴とする請求項１に記載の固定材。
【請求項３】
前記一対の連続部の先端縁間に、対向する端壁部にかけて延び、内側下向きに屈曲させることにより収容する商品を載置する載置部を設けたことを特徴とする請求項１または請求項２に記載の固定材。
【発明の詳細な説明】
【技術分野】
【０００１】
本発明は、外箱内に商品を収容する際に使用する支持用の固定材に関するものである。
【背景技術】
【０００２】
従来よりギフト商品を包装する際には、外箱の内部に緩衝機能を有する固定材を配設し、この固定材の内部に商品を収容させている。そして、このような固定材に関連する先行技術文献情報としては次のものがある。
【０００３】
【特許文献１】実公昭５０−４０７４８号公報
【０００４】
この特許文献１の固定材は、長方形状をなすブランクの両端に、二層構造をなす一対の端壁部が形成され、これら端壁部の上端間に下向きに屈曲して延びる保持板を設けた構成としている。そして、保持板には、円弧状に延びる一対の切込を設けるとともに、この切込の端部間に折曲線を設けている。これにより、これら切込および折曲線で囲繞された内部に下向きに屈曲可能な保持片を形成し、一対の保持片間に瓶商品を配設する構成としている。
【０００５】
しかしながら、この固定材は、瓶のような外形が一定の商品を収容させる場合には問題はないが、ハムなどの同一商品でも外形が不規則なものを収容する場合には、商品を安定状態で支持できない。そのため、搬送時の振動で固定材の内部で商品が移動すると、正規位置に収容されていないため、開封時の見栄えが悪くなるという不都合がある。
【発明の開示】
【発明が解決しようとする課題】
【０００６】
本発明は、従来の問題に鑑みてなされたもので、外形が不規則な商品でも確実に支持して収容可能な固定材を提供することを課題とするものである。
【課題を解決するための手段】
【０００７】
前記課題を解決するため、本発明の固定材は、外箱内にブロック状をなす商品を支持状態で収容するための固定材であって、上下方向に延びるように対向配置される各一対の側壁部および端壁部と、隣接する側壁部および端壁部の上端縁同士を連続させる一対の連続部とを備え、前記連続部に、端壁部との境界線から側壁部との境界線に向けて延びる折曲線を設けるとともに、前記連続部の先端縁から側壁部との境界線に向けて延びる打抜部を設け、前記連続部における折曲線の先端側に、内側下向きに屈曲される弾性片を設けた構成としている。
【０００８】
この固定材によれば、両側に位置する連続部を、それぞれ折曲線と打抜部により分割し、その分割した弾性片を内側下向きに折り曲げることにより、商品を支持することができる。そして、弾性片は、折曲線で屈曲させているため、所定の反発力を有する。そのため、この反発力により、内部に収容する商品の大きさや形状に拘わらず、フレキシブルに撓んで（変形して）商品にフィットさせることができる。よって、収容する商品を確実に正規位置に収容させることが可能であるため、外箱を開けた際に見栄えが悪くなることはない。
【０００９】
この固定材では、前記一対の端壁部との境界線から延びる折曲線を、前記側壁部との境界線を越えて該側壁部領域内で連続させることが好ましい。このようにすれば、固定材の全高が高くなることを防止できる。その結果、固定材を形成するための原紙の使用面積の削減を図ることができる。
【００１０】
また、前記一対の連続部の先端縁間に、対向する端壁部にかけて延び、内側下向きに屈曲させることにより収容する商品を載置する載置部を設けることが好ましい。この場合、隣接する連続部と載置部とは、切刃による切断線により区画することが好ましい。このようにすれば、固定材に商品を収容した状態で、これらを纏めて外箱に収容させることができる。そのため、包装作業性を向上できる。
【発明の効果】
【００１１】
本発明の固定材では、折曲線と打抜部により分割した弾性片の反発力によって、内部に収容する商品の大きさや形状に拘わらず、商品を支持状態で収容させることができる。よって、収容する商品を確実に正規収容位置に保持可能であるため、外箱を開けた際に見栄えが悪くなることはない。
【発明を実施するための最良の形態】
【００１２】
以下、本発明の実施の形態を図面に従って説明する。
【００１３】
図１乃至図４は、本発明の第１実施形態に係る固定材１０を示す。この固定材１０は、図１に示すように、ブロック状をなす商品（ハムＨ）を支持状態で収容して外箱の内部に配設されることにより、ギフト商品を収容する包装箱として使用されるものである。そして、これら外箱および固定材１０は、一対の表紙と裏紙との間に波状の中しんを配設した段ボール紙を、周知の紙器打抜装置によって打ち抜いて成形される。
【００１４】
まず、外箱は、上端開口の箱本体１と、下端開口の蓋体６とからなる。箱本体１は、長方形状をなす底壁２の各外周縁に四方を囲繞する側壁３Ａ〜３Ｄを設けたものである。これら側壁３Ａ〜３Ｄは、底壁２に連続する外面部４と、該外面部４に連続して内側に折り返される内面部５とからなる２重壁構造のものである。また、蓋体６は、底壁２より僅かに大きい長方形状をなす天壁７と、該天壁７の各外周縁に四方を囲繞する側壁８Ａ〜８Ｄを設けたものである。
【００１５】
本実施形態の固定材１０は、連続した一枚のブランクからなり、所定部位を折り曲げた状態で箱本体１内に組み付けられるものである。この固定材１０のブランクは、図４に示すように、対向配置される各一対の側壁部１１Ａ，１１Ｂおよび端壁部１６Ａ，１６Ｂを備えている。これら側壁部１１Ａ，１１Ｂおよび端壁部１６Ａ，１６Ｂは連続部２２によって連設され、それぞれ組立状態で上下方向に延びるように折り曲げられるものである。
【００１６】
そのうち、側壁部１１Ａ，１１Ｂには、組立状態で下側に位置する端縁に、内向きに折り曲げられる折曲片１２Ａ，１２Ｂが連設されている。そして、この側壁部１１Ａ，１１Ｂと折曲片１２Ａ，１２Ｂとの境界部分には折曲用罫線１３が設けられている。この折曲用罫線１３は、側壁部１１Ａ，１１Ｂの領域内に入り込むように延びる台形状の中央切断部１４と、該中央切断部１４の両端から延びるリード罫１５とからなる。このリード罫１５は、所定間隔をもってミシン目状に延びる切断線と、隣接する切断線の端部間にかけて延びる折曲線とからなる。なお、この折曲線は、肉厚を圧縮するように罫を入れることにより形成したものである。
【００１７】
前記固定材１０は、対向する端壁部１６Ａ，１６Ｂの中央部が載置部１７により連設されている。さらに、隣接する側壁部１１Ａ，１１Ｂと端壁部１６Ａ，１６Ｂとは、それぞれ連続部２２により連設されている。
【００１８】
前記載置部１７は、組立状態の端壁部１６Ａ，１６Ｂにおいて、上下方向の中間位置を連続するように設けられ、内側下向きに折り曲げることにより（図２参照）、商品の底を載置するものである。この載置部１７において、矩形状をなす端壁部１６Ａ，１６Ｂの領域内に延びる部分は、組立状態での端壁部１６Ａ，１６Ｂの上端縁から下向きに延びる一対の切断線１８と、これら切断線１８の端部間に設けた折曲線１９により区画されている。なお、切断線１８の下端部は、内向きに湾曲した湾曲部とされている。また、この載置部１７は、横に隣接して設けられる連続部２２，２２との境界部分に、打抜時に切刃によって形成される切断線２０，２０が設けられ、この切断線２０，２０により連続部２２，２２と区画されている。なお、この切断線２０，２０は、端壁部１６Ａ，１６Ｂ間の中央で連続部２２の側に切り込むように形成される中央切込部２０ａと、この中央切込部２０ａの両端から端壁部１６Ａ，１６Ｂに向けて延びる直線状切断部２０ｂ，２０ｂと、これら直線状切断部２０ｂ，２０ｂの端部から切断線１８の端部に向けて外向きに広がるように設けた円弧状切断部２０ｃ，２０ｃとからなる。また、本実施形態の載置部１７には、収容する商品の長手方向の寸法と略同一の間隔で、一対の折曲線２１，２１が設けられている。そして、本実施形態では、折曲線１９および折曲線２１は、使用状態で載置部１７が箱本体１の底壁２に接触せず、所定の隙間が形成される寸法で形成されている。
【００１９】
前記連続部２２，２２は、載置部１７の両側において、隣接する側壁部１１Ａ，１１Ｂおよび端壁部１６Ａ，１６Ｂの上端縁同士を連続するものである。そして、本実施形態の連続部２２，２２は、それぞれ各一対に設けた折曲線２７，２７と切断線２８とにより、両端に位置する連続部本体２３，２３と、これらの間に位置する一対の弾性片２４，２４とに区画されている。
【００２０】
具体的には、連続部２２，２２と側壁部１１Ａ，１１Ｂとの境界部分には折曲線２５が設けられている。この折曲線２５は、側壁部１１Ａ，１１Ｂの上端と端壁部１６Ａ，１６Ｂの上端とが交わる隅部から、折曲線２７，２７にかけて直線的に延びるように設けられている。また、連続部２２，２２と端壁部１６Ａ，１６Ｂとの境界部分には折曲線２６が設けられている。この折曲線２６は、側壁部１１Ａ，１１Ｂの上端と端壁部１６Ａ，１６Ｂの上端とが交わる隅部から、切断線１８および切断線２０の交点に向けて直線的に延びるように設けられている。
【００２１】
そして、折曲線２７，２７は、端壁部１６Ａ，１６Ｂとの境界線である折曲線２６から、側壁部１１Ａ，１１Ｂとの境界線である折曲線２５に向けて外向きに延びるように設けたものである。本実施形態の折曲線２７，２７は、折曲線２６上である切断線１８および切断線２０の交点から折曲線２５にかけて直線的に延びる上側折曲部２７ａと、折曲線２５を越えて側壁部１１Ａ，１１Ｂの領域内にかけて延びる下側折曲部２７ｂとからなる。そして、一対の下側折曲部２７ｂ，２７ｂは、側壁部１１Ａ，１１Ｂの中央で連続（交差）するように設けられている。
【００２２】
また、切断線２８は、連続部２２の先端縁中央である中央切込部２０ａから、側壁部１１Ａ，１１Ｂとの境界線である折曲線２５の中央に向けて延びる打抜部である。そして、本実施形態では、この折曲線２５を越えて、下側折曲部２７ｂ，２７ｂの交点にかけて延びるように設けられている。
【００２３】
これら折曲線２７および切断線２８により区画される連続部本体２３は、隣接する側壁部１１Ａ，１１Ｂおよび端壁部１６Ａ，１６Ｂの上端縁隅部で、直角三角形状をなすように水平に延びる。また、一対の弾性片２４，２４は、切断線２８を境界として線対称な略三角形状をなす。そして、本実施形態の弾性片２４，２４には、上側折曲部２７ａと下側折曲部２７ｂとの交点から先端縁に向けて直交方向に延びる折曲線２９が更に設けられている。これにより、各弾性片２４，２４が商品に沿って覆うように屈曲できるように構成している。
【００２４】
この固定材１０を使用する場合には、図２に示すように、折曲線２５および折曲線２７の下側折曲部２７ｂに沿って、連続部２２，２２に対して側壁部１１Ａ，１１Ｂを折り曲げる。また、折曲用罫線１３に沿って側壁部１１Ａ，１１Ｂに対して折曲片１２Ａ，１２Ｂを折り曲げる（図３参照）。さらに、折曲線２６に沿って、連続部２２，２２に対して端壁部１６Ａ，１６Ｂを折り曲げると同時に、折曲線１９および折曲線２１に沿って、端壁部１６Ａ，１６Ｂに対して載置部１７を内側下向きに折り曲げる。そして、折曲線２７の上側折曲部２７ａおよび折曲線２９に沿って、連続部本体２３に対して弾性片２４を内側下向きに折り曲げる。
【００２５】
この状態で、陥没した状態をなす固定材１０の上方から商品を収容する。この際、形状が不規則な商品であるハムＨは、図示のように、包装フィルムＦにハムＨの一面で略平面状に延びるフランジ部Ｆａを備えている。そして、このフランジ部Ｆａが載置部１７の側に位置するように収容させる。また、この収容作業時には、フランジ部Ｆａが弾性片２４の上面に重畳する。そのため、作業者は、ハムＨと固定材１０の隙間から指を差し込んで、弾性片２４の下側にフランジ部Ｆａが位置するように押し込む。これにより、図１および図３に示すように、固定材１０にハムＨを収容させることができる。
【００２６】
そして、この収容状態では、各弾性片２４の先端縁がハムＨの側面を弾性的に押圧するようにして支持する。しかも、ハムＨが開口端から脱落するように移動した場合には、フランジ部Ｆａが弾性片２４に当接することにより、脱落を防止できる。
【００２７】
このように、本実施形態の固定材１０は、四方に突出ように位置する側壁部１１Ａ，１１Ｂおよび端壁部１６Ａ，１６Ｂの中央に、矩形状面を有する形状である。そして、この矩形状面に一対の切断線２０，２０を設けることにより、この矩形状面を３分割して載置部１７と一対の連続部２２，２２を設け、これらを上下に折り曲げて商品をセットする構成としている。そのため、この固定材１０のブランクは、打ち抜き時に何ら小さな打ち抜き屑が発生しないものであるため、生産性を向上できる。
【００２８】
また、一対の連続部２２，２２は、それぞれ折曲線２７と切断線２８とを設けることにより、更に２分割した一対の弾性片２４，２４を設ける構成としている。そして、一対の弾性片２４，２４は、段ボール紙の腰により反発力を有するものであるため、内側下向きに折り曲げることにより、商品の外周部を圧接した状態で支持できる。そのため、内部に収容する商品の大きさや形状に拘わらず、フレキシブルに撓んで（変形して）商品にフィットさせることができる。よって、収容する商品を確実に正規位置に収容させることが可能であるため、外箱の蓋体６を開けた際に見栄えが悪くなることはない。
【００２９】
さらに、本実施形態では、一対の連続部２２，２２間に位置する載置部１７を設けているため、固定材１０に商品を収容した状態で、これらを纏めて外箱の箱本体１に収容させることができる。そのため、包装作業性を向上できる。しかも、この載置部１７は、折曲線１９および折曲線２１の形成位置により、箱本体１の底壁２に対して所定の隙間をもって位置するように構成しているため、搬送時の振動などによって収容した商品に衝撃が直接加わることを防止できる。そのため、十分な緩衝効果を得ることができる。
【００３０】
さらにまた、本実施形態では、連続部本体２３と弾性片２４とを区画する折曲線２７を、側壁部１１Ａ，１１Ｂとの境界線である折曲線２５を越えて、該側壁部１１Ａ，１１Ｂの領域内で連続させる構成しているため、固定材１０の全高が高くなることを防止できる。その結果、固定材１０を形成するための原紙の使用面積の削減を図ることができる。
【００３１】
図５乃至図７は第２実施形態の固定材１０を示す。この固定材１０は、第１実施形態では１個の商品を収容可能に構成したのに対し、第２実施形態では２個の商品を収容可能に構成した点で、第１実施形態と相違している。
【００３２】
具体的には、第２実施形態の固定材１０のブランクは、図７に示すように、一対の収容部１０ａ，１０ｂを連設した構成としている（図６参照）。各収容部１０ａ，１０ｂは、第１実施形態と同様に、一対の側壁部１１Ａ，１１Ｂ、一対の端壁部１６Ａ，１６Ｂ、載置部１７および一対の連続部２２，２２を備えている。そして、一方の収容部１０ａの側壁部１１Ｂと他方の収容部１０ｂの側壁部１１Ａには、第１実施形態に示す折曲片１２Ｂ，１２Ａは設けずに、これらを連設した構成としている。そして、これらの境界部分には、所定間隔をもってミシン目状に延びる切断線と、隣接する切断線の端部間にかけて延びる折曲線とからなるリード罫３０が設けられている。
【００３３】
この固定材１０は、図５および図６に示すように、一対の収容部１０ａ，１０ｂが横方向に隣接し、かつ、収容部１０ａの側壁部１１Ｂと収容部１０ｂの側壁部１１Ａとを重畳させた状態で使用される。そして、このように構成した第２実施形態では、第１実施形態と同様の作用および効果を得ることができる。
【００３４】
図８および図９は第３実施形態の固定材１０を示す。この固定材１０は、第２実施形態と同様に、２個の商品を収容可能としているが、弾性片２４，２４による各商品の支持は、一側部のみとするようにした点で大きく相違している。
【００３５】
具体的には、第３実施形態の固定材１０のブランクは、図９に示すように、一対の弾性片２４の間に、一対の載置部１７Ａ，１７Ｂが形成されている。これら載置部１７Ａ，１７Ｂは、隣接する弾性片２４，２４との境界部分が、各実施形態と同様の切断線２０，２０により区画されている。また、一対の載置部１７Ａ，１７Ｂの間には、商品の一側を支持（区画）する中間仕切部３１が設けられている。この中間仕切部３１は、両側に隣接する載置部１７Ａ，１７Ｂとの境界が切断線３２，３２により区画されている。この切断線３２，３２は、直線状切断部の両端に外向きに湾曲する円弧状切断部を設けたものである。また、本実施形態の中間仕切部３１には、載置部１７Ａ，１７Ｂの折曲線２１，２１と同一直線的に延びる折曲線３３，３３が設けられている。
【００３６】
また、第３実施形態の連続部２２，２２は、各実施形態と同様に、折曲線２７と切断線２８により、連続部本体２３と弾性片２４に区画されている。そのうち、折曲線２７，２７は、折曲線２６から折曲線２５にかけて延びる上側折曲部２７ａと、折曲線２５を越えて側壁部１１Ａ，１１Ｂの領域内にかけて延びる下側折曲部２７ｂと、一対の下側折曲線２７ｂの端部間を連続する中間折曲線２７ｃとで構成されている。そして、これら中間折曲線２７ｃ，２７ｃが、同一直線的に連続するように構成されている。また、本実施形態では、略中央に位置するように切断線２８が一対設けられ、これら切断線２８，２８間に中間弾性片３４を形成している。
【００３７】
この第３実施形態の固定材１０を使用する際には、第１実施形態と同様にして各折曲線に沿って折り曲げる。但し、折曲線２６に沿って、連続部２２，２２に対して端壁部１６Ａ，１６Ｂを折り曲げると同時に、載置部１７Ａ，１７Ｂを折り曲げる際には、折曲線１９および折曲線２１に沿って、端壁部１６Ａ，１６Ｂに対して載置部１７Ａ，１７Ｂを内側下向きに折り曲げる一方、中間仕切部３１は、折曲線３３に沿って外側上向きに折り曲げる。
【００３８】
このように構成した第３実施形態の固定材１０は、一方の側壁部１１Ａの側に位置する弾性片２４，２４と中間仕切部３１との間、および、他方の側壁３Ｂの側に位置する弾性片２４，２４と中間仕切部３１との間に、第１実施形態と同様にして商品を配置することにより、弾性片２４，２４および中間弾性片３４によって弾性的に支持した状態で収容することができる。また、この第３実施形態の固定材１０は、中間仕切部３１を載置部１７Ａ，１７Ｂと同様に、内側下向きに折り曲げることにより、１つの大きな収容部を構成することができる。そのため、異なる大きな商品を収容させる場合に、同一の固定材１０を使用することが可能である。
【００３９】
なお、本発明の固定材１０は、前記実施形態の構成に限定されるものではなく、種々の変更が可能である。
【００４０】
例えば、第１実施形態では１個の商品を収容可能とし、第２および第３実施形態では２個の商品を収容可能としたが、側壁部１１Ａ，１１Ｂまたは端壁部１６Ａ，１６Ｂに同一形状のブランクを連設することにより、３以上の商品を収容できるようにしてもよい。
【００４１】
また、前記実施形態では、連続部本体２３と弾性片２４とを区画する折曲線２７は、側壁部１１Ａ，１１Ｂの境界線である折曲線２５を越えて延びるように構成したが、その端部が折曲線２５上に位置する構成としてもよい。この場合、一対の折曲線２７，２７の端部は、必ずしも連続させる必要はない。しかし、この場合には、連続部２２と側壁部１１Ａ，１１Ｂとを区画する折曲線２５は、連続した１本の折曲線により構成する。また、前記実施形態では、折曲線２７を直線的に延びるように構成したが、平面視で湾曲した曲線により構成してもよい。
【００４２】
さらに、前記各実施形態では、一対の連続部２２，２２の間に載置部１７を設けたが、この載置部１７は必ずしも設ける必要はない。この場合、固定材１０は、外箱の箱本体１の内部に配置した状態で、商品を収容させることが好ましい。
【００４３】
そして、前記実施形態では、連続部２２を一対の弾性片２４，２４に区画する打抜部を、切刃による切断線２８により構成したが、ブランクの一部を所定幅で打ち抜いた構成としてもよい。即ち、第３実施形態では、連続部２２の中央に所定間隔をもって一対の切断線２８，２８を設け、その間に中間弾性片３４を形成したが、この中間弾性片３４は設けることなく、その領域を打抜部としてもよい。
【図面の簡単な説明】
【００４４】
【図１】本発明の第１実施形態の固定材を用いた包装箱を示す分解斜視図である。
【図２】固定材と商品とを示す分解斜視図である。
【図３】固定材に商品を収容した状態を示す断面図である。
【図４】固定材のブランクを示す平面図である。
【図５】第２実施形態の固定材を示す斜視図である。
【図６】第２実施形態の固定材を示す断面図である。
【図７】第２実施形態の固定材のブランクを示す平面図である。
【図８】第３実施形態の固定材を示す斜視図である。
【図９】第３実施形態の固定材のブランクを示す平面図である。
【符号の説明】
【００４５】
１…箱本体（外箱）
６…蓋体（外箱）
１０…固定材
１１Ａ，１１Ｂ…側壁部
１６Ａ，１６Ｂ…端壁部
１７，１７Ａ，１７Ｂ…載置部
２２…連続部
２３…連続部本体
２４…弾性片
２５…折曲線（側壁部１１Ａ，１１Ｂとの境界線）
２６…折曲線（端壁部１６Ａ，１６Ｂとの境界線）
２７…折曲線
２８…切断線（打抜部）
Ｈ…ハム（商品）
【図１】
2010089820.tif 000003
【図２】
2010089820.tif 000004
【図３】
2010089820.tif 000005
【図４】
2010089820.tif 000006
【図５】
2010089820.tif 000007
【図６】
2010089820.tif 000008
【図７】
2010089820.tif 000009
【図８】
2010089820.tif 000010
【図９】
2010089820.tif 000011